(57)【要約】【課題】メンテナンスが容易で、平面鏡から拡大鏡が外れ落ちるのを防止でき、コンパクトに形成できる鏡装置を提供すること。【解決手段】本発明の鏡装置１は、平面鏡２の鏡面２０の一部に重なる位置で拡大鏡３を平面鏡２の鏡面２０に沿って所定範囲内でスライド自在とするガイド手段４と、前記所定範囲内で拡大鏡３を平面鏡２に固定する固定手段５を備える。【選択図】図１
2012090666.tif 000002
【特許請求の範囲】
【請求項１】
平面鏡の鏡面の一部に重なる位置で拡大鏡を前記平面鏡の前記鏡面に沿って所定範囲内でスライド自在とするガイド手段と、前記所定範囲内で前記拡大鏡を前記平面鏡に固定する固定手段を備えることを特徴とする鏡装置。
【請求項２】
前記ガイド手段として、前記拡大鏡の両端部を前記平面鏡の裏面の両端部までそれぞれ回りこませたガイド部を設け、前記ガイド部に、前記固定手段を設けたことを特徴とする請求項１に記載の鏡装置。
【発明の詳細な説明】
【技術分野】
【０００１】
本発明は、平面鏡に拡大鏡を位置変更自在に設けた鏡装置に関するものである。
【背景技術】
【０００２】
従来から、図４（ａ）に示すような、平面鏡１０２に拡大鏡１０３を位置変更自在に設けた鏡装置１０１が提案されている（特許文献１参照）。
【０００３】
この鏡装置１０１は、平面鏡１０２の裏面１２０にアーム１２４の一端をスライド自在に取り付け、そのアーム１２４の他端に拡大鏡１０３を取り付けたものである。アーム１２４は、複数のアーム１２５を連結した折り畳みアームであり、拡大鏡１０３を使用する際に伸ばして利用される。
【０００４】
このアーム１２４は、拡大鏡１０３を使用しない場合には邪魔であり、収納するためには収納スペースを別途設けなければならない。
【０００５】
そこで、このようなアーム１２４を備えないものとして、例えば図４（ｂ）に示すような鏡装置２０１がある（特許文献２参照）。
【０００６】
この鏡装置２０１は、平面鏡２０２の鏡面２２０の一部に拡大レンズ体２３０を取り付けて、その拡大レンズ体２３０を取り付けた部分を拡大鏡として用いるものである。拡大レンズ体２３０の裏面には粘着体２３１が取り付けられており、この粘着体２３１によって拡大レンズ体２３０は平面鏡２０２に対して着脱自在となっている。
【先行技術文献】
【特許文献】
【０００７】
【特許文献１】特開２００２−４８０号公報
【特許文献２】特開２００７−１２７６８７号公報
【発明の概要】
【発明が解決しようとする課題】
【０００８】
しかし、この鏡装置２０１では、拡大鏡の位置を移動させるためには、その度に平面鏡２０２の鏡面２２０から拡大レンズ体２３０を外す必要がある。このように拡大レンズ体２３０の着脱を繰り返すと、拡大レンズ体２３０の粘着体２３１の粘着性が低下し、平面鏡２０２から拡大レンズ体２３０が不意に外れ落ちてしまうおそれがあった。また、拡大レンズ体２３０を平面鏡２０２から外すと、平面鏡２０２の鏡面２２０に粘着体２３１の跡が残るおそれがあった。これらを防ぐために、平面鏡２０２の鏡面２２０と粘着体２３１は、度々メンテナンスをせねばならなかった。
【０００９】
そこで、本発明は、メンテナンスが容易で、平面鏡から拡大鏡が外れ落ちるのを防止でき、コンパクトに形成できる鏡装置を提供することを課題とする。
【課題を解決するための手段】
【００１０】
上記課題を解決するための本発明の鏡装置は、平面鏡の鏡面の一部に重なる位置で拡大鏡を前記平面鏡の前記鏡面に沿って所定範囲内でスライド自在とするガイド手段と、前記所定範囲内で前記拡大鏡を前記平面鏡に固定する固定手段を備えることを特徴とする。
【００１１】
また、前記ガイド手段として、前記拡大鏡の両端部を前記平面鏡の裏面の両端部までそれぞれ回りこませたガイド部を設け、前記ガイド部に、前記固定手段を設けることが好ましい。
【発明の効果】
【００１２】
本発明の鏡装置は、メンテナンスが容易で、平面鏡から拡大鏡が外れ落ちるのを防止でき、コンパクトに形成できる。
【図面の簡単な説明】
【００１３】
【図１】本発明の鏡装置をミラーキャビネットの鏡扉に用いた実施形態の平面図を示し、（ａ）はその鏡扉を閉じた状態であり、（ｂ）はその鏡扉を開いた状態である。
【図２】同上のミラーキャビネットの全体正面図である。
【図３】他の鏡装置をミラーキャビネットの鏡扉に用いた実施形態の正面図である。
【図４】（ａ），（ｂ）は従来のミラーキャビネットの全体斜視図である。
【発明を実施するための形態】
【００１４】
以下、本発明の実施形態の一例を添付図面に基づいて説明する。
【００１５】
本発明の鏡装置は、図２に示す洗面化粧台上部のミラーキャビネット６の鏡扉７等に好適に用いられる。以下ミラーキャビネット６における鏡扉７側（図２における手前側）を前方とし、その鏡扉７の奥の棚８側（図２における奥側）を後方とし、図２における左側を左方とし、図２における右側を右方として説明する。
【００１６】
本実施形態のミラーキャビネット６は、３枚の鏡扉７，７，７を棚８の前面に左右に並べて取り付けたものである。この３枚のうち真ん中の鏡扉７に、本発明の鏡装置１を適用している。なお、左右の鏡扉７，７は、平面鏡２のみを扉として用いたものである。
【００１７】
棚８は、その内部が仕切り壁で上下左右複数の収納部に分けられており、前方が開口している。この開口が３枚の鏡扉７，７，７によって開閉される。３枚の鏡扉７，７，７は、図１（ａ）に示すように、丁番９を介してそれぞれ棚８に取り付けられている。丁番９は、鏡扉７の上端と下端にそれぞれ取り付けられている。また、鏡扉７，７，７は、隣り合う鏡扉７，７の間にそれぞれ隙間Ｓを設けて棚８に取り付けられている。この隙間Ｓは、隣り合う鏡扉７，７を同時に開くことができる程度の左右幅で形成されている。また、鏡扉７，７，７は、棚８との間に隙間Ｗを設けて棚８に取り付けられている。以上のようにして取り付けられた３枚の鏡扉７，７，７は、それぞれ図１（ａ），（ｂ）に示すように棚８の前面開口を開閉する。ここで、左の鏡扉７は、右側に開き、真ん中の鏡扉７は、左側に開き、右の鏡扉７は、左側に開く。なお、鏡扉７，７，７は上端と下端の丁番９，９を取り付ける端部をそれぞれ実施形態の状態と反対側の端部に変更して、本実施形態の場合と左右逆に開閉するようにしてもかまわない。
【００１８】
真ん中の鏡扉７は、図２に示すように矩形平板状の平面鏡２の鏡面２０の一部に、矩形平板状の拡大鏡３を上下にスライド自在に重ねたものである。平面鏡２は鏡の前の対象物をそのままの大きさで映し出すものであり、拡大鏡３は、鏡の前の対象物を拡大して映し出すものである。拡大鏡３は、コンタクトレンズの装着や、アイライン等の細部の化粧などの際に好適に用いられる。
【００１９】
平面鏡２と拡大鏡３は、左右の幅が略同じで、上下の長さが、拡大鏡３が平面鏡２の３分の１程度となっている。拡大鏡３の左右両端には、図１（ａ）及び図２に示すように、拡大鏡３の左右両端を、平面鏡２の裏面２１の左右両端部までそれぞれ回りこませた、ガイド部４０，４０を設けてある。ガイド部４０，４０は、拡大鏡３の左右両端に上下方向の全長に亘って設けてある。なお、ガイド部４０，４０は、拡大鏡３の左右両端の上下方向全長に亘ってではなく、上下方向に複数分けて設けても構わない。各ガイド部４０，４０は、それぞれ平面鏡２の左右の側面２２，２２から平面鏡２の左右端部の裏面２１にかけて重なっていて、拡大鏡３が平面鏡２に沿って上下にスライドする際にガイドするガイド手段４を為している。
【００２０】
平面鏡２の裏面２１に位置するガイド部４０，４０には前後に貫通する孔が設けてあり、その孔には、固定ねじ５０からなる固定手段５が設けられる。なお、固定ねじ５０は、左右のガイド部４０，４０に１つずつ設けてもよいし、左右のガイド部４０，４０に上下に離して複数個ずつ設けてもよい。この固定ねじ５０をねじ締めすることで、所定範囲内で拡大鏡３は平面鏡２に固定できる。ここでいう所定範囲とは、拡大鏡３が平面鏡２の上端と下端に取り付けられた丁番９，９に接触しない範囲、すなわち、拡大鏡３の上端が平面鏡２の上端に重なる位置から、拡大鏡３の下端が平面鏡２の下端に重なる位置までの範囲を示す。拡大鏡３は、この所定範囲内で平面鏡２に対して上下にスライド自在となっている。
【００２１】
なお、固定手段５は、固定ねじ５０に限らず、他の手段であってよい。例えば、ガイド部４０の前後に貫通する孔に係止される凸部を、平面鏡２の左右側端部の裏面２１に上下方向に亘って複数設けて、好みの位置でスライドが止まるようにしてもよい。
【００２２】
上述した構成のミラーキャビネット６の拡大鏡３の位置調整の方法の一例について説明する。
【００２３】
まず、真ん中の鏡扉７を開いて、左右のガイド部４０，４０に取り付けてある固定ねじ５０を緩める。そして、拡大鏡３の上下位置を調整して、緩めた固定ねじ５０を締め直す。最後に、真ん中の鏡扉７を閉じる。
【００２４】
以上のように拡大鏡３を上下にスライド調整可能としたことで、本実施形態のミラーキャビネットは、使用者の体型や用途に合せて、最適な位置に拡大鏡３を位置させて、コンタクトレンズの装着や、アイライン等の細部の化粧を容易に行うことができる。
【００２５】
上述した本実施形態のミラーキャビネット６の鏡扉７に用いられる鏡装置１は、平面鏡２の鏡面２０の一部に重なる位置で拡大鏡３を平面鏡２の鏡面２０に沿って所定範囲内でスライド自在とするガイド手段４と、前記所定範囲内で拡大鏡３を平面鏡２に固定する固定手段５を備えることを特徴とする。
【００２６】
この構成において、拡大鏡３は、ガイド手段４と固定手段５によって平面鏡２に取り付けられており、従来例のように粘着性の低下するおそれのある粘着体によって平面鏡２に取り付けられるものではないので、平面鏡２から外れ落ち難いものとなっている。
【００２７】
また、従来例のように位置を変更する度に平面鏡２の鏡面２０に粘着体を粘着させなくてもよいので、平面鏡２の鏡面２０は汚れ難くてメンテナンスのし易いものとなっている。
【００２８】
また、ガイド手段４によって拡大鏡３と平面鏡２とは重なるように設けられており、従来例のようにアームによって拡大鏡３を手前に引き出すようなものではないので、鏡装置１はコンパクトなものとなっている。
【００２９】
また、本実施形態のミラーキャビネット６の鏡扉７に用いられる鏡装置１においては、ガイド手段４として、拡大鏡３の両端部を平面鏡２の裏面２１の両端部までそれぞれ回りこませたガイド部４０を設け、ガイド部４０に、固定手段５を設けたことを特徴とする。
【００３０】
このような構成としたことで、ガイド手段４や固定手段５を隠すことができる。そのため、鏡装置１は正面から視た外観がすっきりしたものとなっている。
【００３１】
また、平面鏡２の裏面２１に回りこむガイド部４０に固定手段５を設けたことで、平面鏡２の鏡面２０が固定手段５によって傷ついてしまうことを防止できる。
【００３２】
また、ガイド部４０を拡大鏡３の両端部を平面鏡２の裏面２１の両端部までそれぞれ回りこませて形成するようにしたことで、拡大鏡３を、平面鏡２の幅方向いっぱいまで広げることができる。そのため、幅の広い拡大鏡３を平面鏡２に取り付けることができ、反射面積を広く確保することができる。
【００３３】
続いて、本実施形態の変更例について説明する。
【００３４】
拡大鏡３は、真ん中の鏡扉７に適用するのではなく、左右の鏡扉７，７に適用してもかまわない。その場合メインとなる真ん中の鏡扉７は、通常用いられる平面鏡２として利用できる。
【００３５】
また、拡大鏡３は、図３に示すように、平面鏡２に対して左右にスライド自在に重ねて取り付けたものであっても構わない。その場合、拡大鏡３の上端と下端にガイド部４０を設ける。このような構成とすれば、拡大鏡３を好みの位置まで左右にスライドさせれば、拡大鏡３の自重で拡大鏡３の上端のガイド部４０が平面鏡２の上端に係止されるので、拡大鏡３をその位置に止めることができる。
【００３６】
なお、本発明の鏡装置１は、上述した実施形態のような後方に棚８を有する鏡扉７としてではなく、単独で壁等に取り付けられるものであっても構わない。
【００３７】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３８】
１      鏡装置
２      平面鏡
２０    鏡面
３      拡大鏡
４      ガイド手段
５      固定手段
【図１】
2012090666.tif 000003
【図２】
2012090666.tif 000004
【図３】
2012090666.tif 000005
【図４】
2012090666.tif 000006